(57)【要約】【課題】内部に収納する商品の品位を高め、高級感を演出できる簡易組立箱を提供する。【解決手段】底面部２ａと前後の側面部２ｂ，２ｃと上面部２ｄが前後方向に連続した前後方向に長い長方形板状の簾２と、この簾２の底面部２ａ上の左右端側に倒伏状態から起立状態に上下に回動し得る左右の側枠板３，４が設けられ、各側枠板３，４の内面から前後の側面部２ｂ，２ｃに延びて不織布５，６が貼着されてなり、左右の側枠板３，４を起立させると不織布５，６を介して簾２の前後の側面部２ｂ，２ｃが起立状態となり、箱体が形成されるように構成する。【選択図】図３
0003157036.tif 000002
【実用新案登録請求の範囲】
【請求項１】
底面部と前後の側面部と上面部が前後方向に連続した前後方向に長い長方形板状の可撓性外周材と、該可撓性外周材の前記底面部上の左右端側に倒伏状態から起立状態に上下に回動し得る左右の側枠板が設けられ、各側枠板の内面から前記前後の側面部に延びて可撓性の連結材が貼着されてなり、
前記左右の側枠板を起立させると前記連結材を介し前記可撓性外周材の前後の側面部が起立状態となるように構成した
ことを特徴とする簡易組立箱。
【請求項２】
前記可撓性外周材が、細く割った竹を糸で編み連ねた板状の簾であることを特徴とする請求項１に記載の簡易組立箱。
【請求項３】
前記連結材が不織布であることを特徴とする請求項１または請求項２に記載の簡易組立箱。
【請求項４】
前記簾には図柄が印刷されていることを特徴とする請求項２に記載の簡易組立箱。
【考案の詳細な説明】
【技術分野】
【０００１】
本考案は、ワンタッチで組み立てできる簡易組立箱に関するものである。
【背景技術】
【０００２】
従来、この種の簡易組立箱として、特許文献１に開示されているようなものがある。
【先行技術文献】
【特許文献】
【０００３】
【特許文献１】特開２００８−２８５２１６号公報
【考案の概要】
【考案が解決しようとする課題】
【０００４】
上記特許文献１に開示されている簡易組立箱は、紙板の箱であり、中に入れられるお菓子等の商品の品位を高めて高級感を演出することはできないものであった。
【課題を解決するための手段】
【０００５】
本考案は、中に入れられる商品の品位を高め、高級感を演出できる簡易組立箱の提供を目的とし、この目的の少なくとも一部を達成するために以下の手段を採った。
本考案の簡易組立箱は、底面部と前後の側面部と上面部が前後方向に連続した前後方向に長い長方形板状の可撓性外周材と、該可撓性外周材の前記底面部上の左右端側に倒伏状態から起立状態に上下に回動し得る左右の側枠板が設けられ、各側枠板の内面から前記前後の側面部に延びて可撓性の連結材が貼着されてなり、前記左右の側枠板を起立させると前記連結材を介し前記可撓性外周材の前後の側面部が起立状態となるように構成したことを要旨とする。
【考案の効果】
【０００６】
左右の側枠板を手で起立させると、連結材を介して可撓性外周材の前後の側面部が起立状態となり、この状態で可撓性外周材の上面部を上方に被せることで、簡易に箱体を組み立てることができ、内部にお菓子やチョコレートなどを詰め込んだ紙箱を入れることで、組立状態が良好に維持されて、お菓子やチョコレートの外箱として高級感を演出することができる。
また、組み立て前には平板状をなすため、多数枚を積み重ねて省スペースで輸送や保管が行え、大量にコストを低減させて輸送等することができるものとなる。
【０００７】
また、本考案の簡易組立箱において、前記可撓性外周材が、細く割った竹を糸で編み連ねた板状の簾であるものとすることもできる。
こうすれば、簾で組立箱の底面および側面および上面が形成されて、簾により高級感を演出することができ、内部に入れられる商品の品位を高めることができるものとなる。
【０００８】
また、本考案の簡易組立箱において、前記連結材が不織布であるものとすることもできる。
こうすれば、強度が大なる不織布で連結材が構成されているため、何回も組み立てを繰り返しても破損等することがなく、また、衛生的なものとなる。
【０００９】
また、本考案の簡易組立箱において、前記簾には図柄が印刷されているものとすることもできる。
こうすれば、簾に印刷された図柄により季節感や高級感をより良好に演出することができるものとなる。
【図面の簡単な説明】
【００１０】
【図１】組み立て完了状態の簡易組立箱の斜視構成図である。
【図２】輸送中等において平板状に折り畳まれた状態の簡易組立箱の斜視構成図である。
【図３】図２の状態から左右の側枠板を僅かに起立させた状態の斜視構成図である。
【図４】左右の側枠板を起立させた状態の簡易組立箱の斜視構成図である。
【考案を実施するための形態】
【００１１】
次に、本考案を実施するための形態を実施例を用いて説明する。
図１は、組み立て完了状態の簡易組立箱の斜視図であり、図２は、折り畳まれた状態の斜視図であり、図３は、図２の状態から僅かに左右の側枠板を起立させた状態の斜視図であり、図４は、さらに左右の側枠板を完全に起立状態とした簡易組立箱の斜視構成図である。
【００１２】
図において、簡易組立箱１は、可撓性の外周材が簾２で構成されており、この簾２は、細く割った竹を糸で編み連ねて平板状に形成したものである。
即ち、図２に示すように、簾２は、底面部２ａの前後に一体状に連ねて前側面部２ｂと後側面部２ｃが連続して形成され、さらに後側面部２ｃから連続して上面部２ｄが形成され、さらに上面部２ｄに連続して前垂れ部２ｅが一体形成されて、全体として前後方向に長い長方形板状に簾２が形成されている。
【００１３】
この簾２の底面部２ａの左右端側に、長方形状の左側枠板３と右側枠板４が、それぞれ簾２の長手方向（前後方向）に向かって左右に設けられており、この左側枠板３および右側枠板４は、例えば鮮やかな木目を有する板材で構成されており、さらには表面を焦がして表面処理された木製板材で構成されている。
この左側枠板３および右側枠板４の前後方向寸法は、簾２の底面部２ａの前後方向寸法と同一の寸法に設定されている。
この左側枠板３の内側の面には、連結材を構成する不織布５が貼着されている。また、右側枠板４の内面にも同様な不織布６が貼着されている。
【００１４】
この不織布５は、図２および図３に示すように、左側枠板３の内面側に貼着された枠板貼り付け面５ａと、この枠板貼り付け面５ａの下端側で折り曲げられて簾の底面部２ａ上に貼着された下貼り付け面５ｂと、枠板貼り付け面５ａの前後端から前後方向に延びる前後の折り重ね面５ｃ，５ｄと、前折り重ね面５ｃから折り曲げられて簾の前側面部２ｂに貼着された前貼り付け面５ｅと、後折り重ね面５ｄ側から折り曲げられて簾２の後側面部２ｃに貼着された後貼り付け面５ｆで構成されている。
【００１５】
右側枠板４の内側に貼着される不織布６においても、右側枠板４の裏面に貼着される枠板貼り付け面６ａの下端に底面部２ａに貼着された下貼り付け面６ｂが設けられ、枠板貼り付け面６ａの前後端から前後側に延びて折り重ね面６ｃ，６ｄが形成され、さらに前側面部２ｂに貼着された前貼り付け面６ｅと、後側面部２ｃに貼着された後貼り付け面６ｆで構成されている。
従って、左側枠板３および右側枠板４は、不織布５，６における下貼り付け面５ｂ，６ｂにより簾２の底面部２ａ上で、図２のような倒伏状態から図３および図４のような起立状態に回動させることができるものである。
【００１６】
図２の左側枠板３および右側枠板４の倒伏状態では、左側枠板３側を例にとって説明すると、不織布５の枠板貼り付け面５ａは下貼り付け面５ｂ上に重ね合わされて左側枠板３は簾２の底面部２ａ上に重ね合わされる。このときに不織布５の前折り重ね面５ｃは前貼り付け面５ｅ上に重ね合わされて簾の前側面部２ｂ上に重ね合わされる。
また、不織布５の後折り重ね面５ｄは後貼り付け面５ｆ上に重ね合わされて簾２の後側面部２ｃ上に重ね合わされる。
この図２のような状態で、多数の簡易組立箱１が重ね合わされて輸送され、また保管されるものである。
【００１７】
使用する際には、図３のように、左側枠板３および右側枠板４の上端側を手で持って左右側に起立させてゆくと、不織不５，６により簾２の前側面部２ｂおよび後側面部２ｃが起立する方向に引っ張られてゆき、図４の状態では、不織布５の前折り重ね面５ｃが前側面部２ｂに当接状態となり、また、後折り重ね面５ｄが後側面部２ｃに当接状態となって、この状態では上面が開放された箱体となり、この図４の状態で、例えば紙箱に収納されたチョコレートやお菓子など、その他贈答品や土産物などを紙箱のまま、この図４の組立箱内に入れることができ、紙箱が入れられることで左側枠板３および右側枠板４は起立状態に維持されて、箱体が維持されるものである。
【００１８】
この状態で簾の上面部２ｄを上面に被せて、さらに簾の前垂れ部２ｅを前側面部２ｂの前側に被せて、図１のような状態として箱を完成させることができ、前垂れ部２ｅの幅方向中央部に引っ掛けボタン７等を設けておき、前側面部２ｂには、この引っ掛けボタン７などに引っ掛けられるゴムバンド８等を設けておけば、ゴムバンド８を引っ掛けボタン７に引っ掛けて良好に蓋することができ、図１の状態では、化粧処理された左右の側枠板３，４と、その他の外周を形成する簾２により高級感が良好に演出されて、内部に収納されるチョコレートやお菓子などの商品の品位を良好に高めることができるものとなる。
【００１９】
なお、簾２の表面側に図柄を印刷しておけば、さらに高級感を演出することができ、例えば季節性のあるお菓子を収納する場合には、紅葉の図柄とか朝顔の図柄とか季節感のある図柄を印刷しておくことができ、さらに観光地等で用いる場合には、観光地の風景などの図柄を印刷しておくことができるものである。
その他、弁当や贈答品などを収納する際に、芝居小屋や野球場などの弁当を販売する施設特有の図柄を印刷しておくこともできる。
【００２０】
なお、さらに簾２の色彩と不織布５および６の色彩を異なるものにし、さらに左右の側枠板３，４との色彩のコントラストを強調させる等することで、より意匠性を高めることができ、簾２や不織布５，６を色彩の異なる多種類のものを組み合わせて、色の配色などが異なる簡易組立箱１を形成して、より個性的な高級感を演出することができるものとなる。
【００２１】
しかも、本例の簡易組立箱は、チョコレートなどが入った紙箱を取り去ると簡易に図２の状態に平板状となり、この状態で多数枚を積み重ねて保管しておくことができ、何回も使用が可能であり、さらに大量に輸送する際には、多数枚を省スペースで積み重ねて輸送することができ、輸送コストが低減するものとなる。
【符号の説明】
【００２２】
１  簡易組立箱
２  簾
２ａ  底面部
２ｂ  前側面部
２ｃ  後側面部
２ｄ  上面部
２ｅ  前垂れ部
３  左側枠板
４  右側枠板
５，６  不織布
５ａ，６ａ  枠板貼り付け面
５ｂ，６ｂ  下貼り付け面
５ｃ，６ｃ  前折り重ね面
５ｄ，６ｄ  後折り重ね面
５ｅ，６ｅ  前貼り付け面
５ｆ，６ｆ  後貼り付け面
７  引っ掛けボタン
８  ゴムバンド
【図１】
0003157036.tif 000003
【図２】
0003157036.tif 000004
【図３】
0003157036.tif 000005
【図４】
0003157036.tif 000006